(57)【要約】【課題】調味品粉粒体の使用量を好みに応じて容易に調整することができるとともに、使い残し分の取扱に便宜な調味品粉粒体分包シートを提供する。【解決手段】調味品粉粒体分包シート１０は、砂糖が１ｇ包まれた分包１２が６つ、相互に長手方向を接するように配列されている。隣り合う分包１２間はシール部Ａによってシールされ、それぞれ独立して密閉される。各分包１２の表面には、分包に包まれる内容物とその量を示す表示が設けられる。なお、長手方向左側端部上方に切り欠き部Ｅが設けられる。例えば、コーヒーカップに２ｇの砂糖を入れる場合であれば、調味品粉粒体分包シート１０の長手方向端部を引き裂いて、２つの分包１２を開封して使用する。一方、６ｇの砂糖全量を入れる場合であれば、調味品粉粒体分包シート１０の長手方向端部を上から下まで引き裂いて開封して使用する。【選択図】図１
0003124287.tif 000002
【実用新案登録請求の範囲】
【請求項１】
所定量の調味品粉粒体を包む分包部を複数配列してなることを特徴とする調味品粉粒体分包シート。
【請求項２】
前記調味品粉粒体が飲料の調味用砂糖であることを特徴とする請求項１記載の調味品粉粒体分包シート。
【請求項３】
前記飲料がカップコーヒーであることを特徴とする請求項２記載の調味品粉粒体分包シート。
【請求項４】
前記分包部が複数行複数列配列されてなることを特徴とする請求項１〜３のいずれか１項に記載の調味品粉粒体分包シート。
【請求項５】
隣り合う分包部間にミシン目が形成されてなることを特徴とする請求項１〜４のいずれか１項に記載の調味品粉粒体分包シート。
【考案の詳細な説明】
【技術分野】
【０００１】
本考案は、好みにより使用量が異なるコーヒー用シュガーや調味料等の調味品粉粒体を所定量包んだ分包（分包品）に関するものである。
【背景技術】
【０００２】
例えば、喫茶店等で提供されるコーヒー用シュガー（砂糖）は、以前は、ポットに入れた形態でテーブルに備えられ、あるいはコーヒーカップとともに運ばれ、好みに応じて適当量をポットからスプーンで掬って使われていた。ところが、現在では、既知の一定量を用いる便宜や取扱の簡便さ等の理由から、所定量が分包されたスティック等の形態で提供されることがほとんどである。
【０００３】
このコーヒー用シュガースティックの場合、従来は６ｇ程度のシュガー粉末やグラニュー糖粒状品等を入れたもの１種類のみであったが、昨今の健康志向等に応じて、半量の３ｇ程度のシュガー粉末等を分包したものも多く提供されている。
【考案の開示】
【考案が解決しようとする課題】
【０００４】
ところが、健康を特に気遣う人やあるいは人の好みによっては、シュガー（以下、これを砂糖という。）量が３ｇ程度でも多すぎるため、砂糖を使い残すことがあり、この場合、余った砂糖は、そのままでは保存するうえで不具合であることもあって廃棄されることがほとんどである。一方、人の好みによっては、砂糖の量が３ｇでは不足に感じる場合もあり、この場合、３ｇ入りのシュガースティックを２本使用することは、袋を開く操作を２回行なうことが煩雑であり、あるいは、３ｇでは少なすぎるが６ｇでは多すぎると感じるときには、２本目のシュガースティックの砂糖を使い残すことになる。
上記の不具合を解消するために、例えば１ｇ単位で分包したシュガースティックを調製することも考えられるが、この場合は、大量の本数に分包されたシュガースティックを取り扱うことが煩雑である。
【０００５】
本考案は、上記の課題に鑑みてなされたものであり、調味品粉粒体の使用量を好みに応じて容易に調整することができるとともに、使い残し分の取扱に便宜な調味品粉粒体分包シートを提供することを目的とする。
【課題を解決するための手段】
【０００６】
本考案に係る調味品粉粒体分包シートは、所定量の調味品粉粒体を包む分包部を複数配列してなることを特徴とする。
【０００７】
また、本考案に係る調味品粉粒体分包シートは、前記調味品粉粒体が飲料の調味用砂糖であることを特徴とする。
【０００８】
また、本考案に係る調味品粉粒体分包シートは、前記飲料がカップコーヒーであることを特徴とする。
【０００９】
また、本考案に係る調味品粉粒体分包シートは、前記分包部が複数行複数列配列されてなることを特徴とする。
【００１０】
また、本考案に係る調味品粉粒体分包シートは、隣り合う分包部間にミシン目が形成されてなることを特徴とする
【考案の効果】
【００１１】
本考案に係る調味品粉粒体分包シートは、所定量の調味品粉粒体を包む分包部を複数配列したものであるため、好みの使用量に対応する数の分包を１回の動作で引き開いて用いることにより、簡単な取扱で調味品粉粒体の使用量を調整することができ、また、未開封の分包については、そのまま保存して再使用等することができ、使い残し分の取扱に便宜である。
【考案を実施するための最良の形態】
【００１２】
本考案を実施するための好適な実施の形態について説明する。
【００１３】
本考案に係る調味品粉粒体分包シートは、所定量の調味品粉粒体を包む分包部を複数配列したものである。
ここで、調味品とは、好みに応じて１回に使用する量を加減するタイプの調味品をいい、いわゆるスティックシュガーの内容物とされる、コーヒーや紅茶等の飲料の甘みを調えるために用いる砂糖が代表的なものであり、本考案を適用するうえで好適である。特に、コーヒー用砂糖については、砂糖無添加のいわゆるブラックコーヒーを好む場合もあるほどに使用量の好みが人によって極端に異なるため、本考案を適用するうえで最も好適である。ただし、本考案の調味品は、これに限らず、例えば香辛料等のいわゆる調味料を含み、さらにまた、好みに応じて１回に使用する量を加減するものである限り、適宜のものに適用することができる。
また、調味品粉粒体とは、調味品が、粉状体（粉末）、粒状体、またはこれらの混合物であるものをいう。
また、調味品粉粒体分包とは、調味品粉粒体を一定量ずつ小分けして包んだものをいい、分包シートとは、分包（分包部）を１枚の板状につづったものをいう。分包の内容物である調味品粉粒体は各分包ごとに境界部をシールされ、独立して密閉される。
【００１４】
１つの分包に包まれる調味品の量（所定量）は、調味品の種類や嗜好の傾向等によって異なり、適宜設定されるが、おおむね、通常の一人前の量を２以上に分包したときの１つの分包に包まれる量である。例えば１杯のコーヒー（カップコ−ヒー）に入れる砂糖であれば、通常、一人前として６ｇあるいは３ｇ程度使用されるものを、１つの分包に１ｇあるいは２ｇ程度の少量を包んだものをいう。
【００１５】
上記したように、分包される調味品の形態は粉粒体である。調味品がペレット状やタブレット状の場合は、形状加工して所定量を分包することが煩雑であり、一方、調味品が液状の場合は、複数の分包をまとめて開封するときに、液がたれて手指に付着して使い勝手がよくない等の不具合を生じうるが、調味品が粉粒体の場合は、このような不具合を生じるおそれが比較的少なく、取扱に便宜である。
【００１６】
分包シートは、適宜の材質、形態のものを用いることができ、例えば、アルミ箔等を材料に用いた医薬品の包装状のものであってもよく、また、食品を包むのに用いられる、ＰＰ（ポリプロピレン）等の樹脂を材料に用いた包装状のものや、紙の内面をラミネート加工した包装状のものであってもよい。隣り合う分包間は、圧着やヒートシール等の適宜の方法でシールされる。これらの包装材は引き裂き性に優れ、１回の動作で所望の数の分包の端部を一気に引き裂いて、まとめて開封することができる。
【００１７】
調味品粉粒体分包シートは、例えば、喫茶店等で提供されるコーヒー用シュガー等の場合、例えば１ｇのシュガーを包んだ分包を６つ配列した形態のものであると、好みに応じて使用量を微調整でき、未開封の分包については、保存したうえで、調理場の調理用等に適宜利用することができる。また、客の好みにより６つの分包全てが使用されることも多く、この場合は、使用して空になった調味品粉粒体分包シートをそのまま廃棄することができる。このため、いずれの場合においても、使い残しの砂糖を廃棄する不具合が少なくなる。
これに対して、家庭で用いられるコーヒー用シュガー等の場合は、多量に購入、保存しておき、１回ごとに少量ずつ使用することになるため、分包部が複数行複数列配列された調味品粉粒体分包シートであると好適である。この場合、使用後の空の分包を切除してもよく、あるいは、使用後の空の分包の一部がシートに残っていたとしても格別な支障はない。
【００１８】
以下、調味品粉粒体分包シートの例を図を参照して説明する。
【００１９】
まず、図１および図２を参照して、第一の例の調味品粉粒体分包シート１０について説明する。
第一の例の調味品粉粒体分包シート１０は、図１に示すように、砂糖が１ｇ包まれた分包（分包部）１２が６つ、相互に長手方向を接するように配列されている。隣り合う分包１２間はシール部（図１中、矢印Ａで示す。）によってシールされ、それぞれ独立して密閉される。各分包１２の表面には、分包に包まれる内容物とその量を示す表示が設けられる。なお、必要に応じて調味品粉粒体分包シート１０の図１中、長手方向左側端部上方に切り欠き部（図１中、矢印Ｅで示す。）を設ける。
そして、例えば、コーヒーカップに２ｇの砂糖を入れる場合であれば、図２に示すように、調味品粉粒体分包シート１０の長手方向左側端部を引き裂いて、２つの分包１２を開封して使用する。一方、６ｇの砂糖全量を入れる場合であれば、調味品粉粒体分包シート１０の長手方向端部を上から下まで引き裂いて、使用する。残った未開封の４つの分包１２は、保存しておき、適宜の用途に利用することができる。
【００２０】
つぎに、図３を参照して、第二の例の調味品粉粒体分包シートについて説明する。
第二の例の調味品粉粒体分包シート１４は、図３に示すように、例えば砂糖が２ｇ包まれた分包（分包部）１６が行方向に８個ずつおよび列方向に１０個ずつ行列状に合計８０個配列されている。隣り合う分包１６間はシール部（図３中、矢印Ｃで示す。）によってシールされ、それぞれ独立して密閉される。また、列間には、切り取り用のミシン目（図３中、矢印Ｄで示す。）が設けられる。さらに、調味品粉粒体分包シート１４の図３中、右側端部の表面には、分包に包まれる内容物とその量および分包の個数を示す表示が設けられる。
そして、例えば、３つのコーヒーカップにそれぞれ４ｇの砂糖を入れる場合であれば、例えば調味品粉粒体分包シート１４の図３中、左端部の列（第１列）の１０個の分包１６を切り取ったうえで、６個の分包１６を開封して使用した後、残り４個の分包１６は、調味品粉粒体分包シート１４とともに保管する。あるいは、調味品粉粒体分包シート１４の行間にも列間と同様のミシン目を設けておき、使用時には、調味品粉粒体分包シート１４から第１列のうちの６個の分包１６のみを切り取って使用してもよい。
【図面の簡単な説明】
【００２１】
【図１】本考案の第一の例の調味品粉粒体分包シートの平面図である。
【図２】図１の調味品粉粒体分包シートの使用方法を説明するための図である。
【図３】本考案の第二の例の調味品粉粒体分包シートの平面図である。
【符号の説明】
【００２２】
１０、１４  調味品粉粒体分包シート
１２、１６  分包
【図１】
0003124287.tif 000003
【図２】
0003124287.tif 000004
【図３】
0003124287.tif 000005